(57)【特許請求の範囲】
【請求項１】
端子金具を端子収容空間に収容するコネクタハウジングと、前記端子金具が前記端子収容空間から抜け出ることを防止するリテーナと、を有するコネクタにおいて、
前記リテーナが、
前記コネクタハウジングの外壁を貫通した開口部から前記端子収容空間に挿入され、前記端子収容空間の正規の位置に位置付けられた前記端子金具に係止することにより、当該端子金具が前記端子収容空間から抜け出ることを防止するランスと、
前記端子金具に係止した前記ランスに当接するとともに前記コネクタハウジングに設けられた係止部に係止することにより、当該ランスを前記端子金具に係止した状態に維持するランス当接部と、を有し、さらに、
前記端子金具に係止する前の前記ランスの前記端子収容空間への挿入量と、前記端子金具に係止し、かつ、前記ランス当接部が前記ランスに当接していない状態の前記ランスの前記端子収容空間への挿入量と、前記端子金具に係止し、かつ、前記ランス当接部が前記ランスに当接した状態の前記ランスの前記端子収容空間への挿入量と、が等しくなるように前記ランスが設けられており、
前記端子金具が前記端子収容空間に中途挿入された状態において、前記ランスが前記端子収容空間外に位置付けられることにより、当該ランスが、前記ランス当接部を前記係止部に係止させることを規制して、前記端子金具が前記端子収容空間に中途挿入された状態であることを検知する
ことを特徴とするコネクタ。
【請求項２】
前記ランスと前記ランス当接部とがヒンジにより連結されていることを特徴とする請求項１に記載のコネクタ。
【請求項３】
前記ランス当接部が、前記ランスと間隔をあけた状態と、前記ランスと当接した状態と、に亘って変位自在に設けられており、そして、
前記コネクタハウジングに、前記ランスと間隔をあけた状態の前記ランス当接部が係止する仮係止部が設けられていることを特徴とする請求項１または請求項２に記載のコネクタ。
【発明の詳細な説明】
【技術分野】
【０００１】
本発明は、コネクタハウジング内に収容された端子金具が抜け出ることを防止するリテーナを有するコネクタに関するものである。
【背景技術】
【０００２】
自動車には、搭載された電子機器に電力や制御信号などを伝えるためにワイヤハーネスが配索されている。ワイヤハーネスは、複数の電線と、この電線の端末に接続されたコネクタと、を有している。また、このコネクタは、前記電線と接続された導電性の端子金具と、この端子金具を収容した絶縁性のコネクタハウジングと、を有しており、前記電子機器のコネクタとコネクタ結合する。
【０００３】
上述したコネクタとして、図１２ないし図１４に示すように、端子金具１０４がコネクタハウジング１０２の端子収容空間１２１から抜け出ることを防止するリテーナ１０３を有したコネクタ１０１が知られている（例えば特許文献１を参照。）。
【０００４】
上記端子金具１０４は、ワイヤハーネスを構成する電線１０５の端部などに取り付けられ、内側に相手方の端子金具を収容する中空角筒状の電気接触部１４１と、電線５と接続される電線接続部１４３と、を有している。
【０００５】
上記コネクタハウジング１０２の外壁１２０には、端子収容空間１２１の外側と内側とを連通した開口部１２８が設けられており、上記リテーナ１０３はこの開口部１２８から端子収容空間１２１に挿入される。
【０００６】
また、上記リテーナ１０３は、基部１３１と、この基部１３１の一端部１３１ａに連なりかつ基部１３１と互いに間隔Ｓをあけて配された変位部１３２と、この変位部１３２の他端部１３２ｂから突出した係止部１３３と、を有している。即ち、基部１３１と変位部１３２とは断面形状がＵ字形に形成されており、変位部１３２の他端部１３２ｂは自由端となっているとともに基部１３１の他端部１３１ｂに接離自在に設けられている。
【０００７】
上記構成のコネクタ１０１は、リテーナ１０３を変位部１３２を下向きにして開口部１２８から端子収容空間１２１に浅く挿入し、当該リテーナ１０３をコネクタハウジング１０２に仮係止させる。そして、図１２に示すように、リテーナ１０３が仮係止した状態のコネクタハウジング１０２の端子収容空間１２１に端子金具１０４を挿入する。この図１２に示す状態で、係止部１３３は、端子金具１０４の電気接触部１４１の角部１４１ａに浅く係止して、当該端子金具１０４を端子収容空間１２１に仮保持している。
【０００８】
そして、基部１３１を押圧することにより、リテーナ１０３即ち変位部１３２をさらに深く端子収容空間１２１に挿入し、係止部１３３を電気接触部１４１の角部１４１ａに仮保持時（図１２を参照。）よりも大きい係り代で係止させて、図１３に示すように端子金具１０４を端子収容空間１２１から抜け出ることのないように本保持する。
【０００９】
また、図１４に示すように、端子金具１０４が端子収容空間１２１に中途挿入された状態では、変位部１３２が電気接触部１４１上に乗り上げて上方に弾性変形していることから、基部１３１を押圧しても該基部１３１が変位部１３２にぶつかって、リテーナ１０３をそれ以上深く端子収容空間１２１に挿入することができないので、端子金具１０４が中途挿入された状態であることが検知される。
【特許文献１】特許第３３１１２２８号公報
【発明の開示】
【発明が解決しようとする課題】
【００１０】
しかしながら、上述した構成のコネクタ１０１は、仮保持時（図１２を参照。）の端子金具１０４に対する係止部１３３の係りが浅い、即ち端子金具１０４への係り代が小さい、ことから、この仮保持時の端子保持力が、本保持時（図１３を参照。）に比べて低かった。このため、仮保持時に端子金具１０４が端子収容空間１２１から抜け出す不具合が発生する可能性が高かった。また、コネクタ１０１が小型コネクタの場合は、仮保持時の端子金具１０４に対する係止部１３３の係り代を確保することがさらに困難になるので、端子金具１０４が抜け出す可能性がさらに高かった。
【００１１】
また、上述した構成のコネクタ１０１は、仮保持時の端子金具１０４に対する係止部１３３の係り代が小さいことから、端子金具１０４を正規の位置まで挿入した際に得られる挿入フィーリングが小さく、そのために、端子金具１０４が正規の位置まで挿入されない中途挿入状態になってしまう可能性があった。
【００１２】
また、上述した構成のコネクタ１０１は、本保持時（図１３を参照。）におけるリテーナ１０３が、基部１３１と変位部１３２との間に間隔Ｓをあけた構成であることから、本保持時にコネクタ１０１に強い衝撃が加えられるなどして変位部１３２が上方即ち基部１３１側に弾性変形し、係止部１３３の端子金具１０４への係止が外れてしまう可能性があった。
【００１３】
したがって、本発明は、端子金具がコネクタハウジングから抜け出すことを確実に防止できるコネクタを提供することを目的とする。
【課題を解決するための手段】
【００１４】
上記目的を達成するために、請求項１に記載された発明は、端子金具を端子収容空間に収容するコネクタハウジングと、前記端子金具が前記端子収容空間から抜け出ることを防止するリテーナと、を有するコネクタにおいて、前記リテーナが、前記コネクタハウジングの外壁を貫通した開口部から前記端子収容空間に挿入され、前記端子収容空間の正規の位置に位置付けられた前記端子金具に係止することにより、当該端子金具が前記端子収容空間から抜け出ることを防止するランスと、前記端子金具に係止した前記ランスに当接するとともに前記コネクタハウジングに設けられた係止部に係止することにより、当該ランスを前記端子金具に係止した状態に維持するランス当接部と、を有し、さらに、前記端子金具に係止する前の前記ランスの前記端子収容空間への挿入量と、前記端子金具に係止し、かつ、前記ランス当接部が前記ランスに当接していない状態の前記ランスの前記端子収容空間への挿入量と、前記端子金具に係止し、かつ、前記ランス当接部が前記ランスに当接した状態の前記ランスの前記端子収容空間への挿入量と、が等しくなるように前記ランスが設けられており、前記端子金具が前記端子収容空間に中途挿入された状態において、前記ランスが前記端子収容空間外に位置付けられることにより、当該ランスが、前記ランス当接部を前記係止部に係止させることを規制して、前記端子金具が前記端子収容空間に中途挿入された状態であることを検知することを特徴とするコネクタである。
【００１５】
請求項２に記載された発明は、請求項１に記載された発明において、前記ランスと前記ランス当接部とがヒンジにより連結されていることを特徴とするものである。
【００１６】
請求項３に記載された発明は、請求項１または請求項２に記載された発明において、前記ランス当接部が、前記ランスと間隔をあけた状態と、前記ランスと当接した状態と、に亘って変位自在に設けられており、そして、前記コネクタハウジングに、前記ランスと間隔をあけた状態の前記ランス当接部が係止する仮係止部が設けられていることを特徴とするものである。
【発明の効果】
【００１７】
請求項１に記載された発明によれば、端子金具に係止する前のランスの端子収容空間への挿入量と、端子金具に係止し、かつ、ランス当接部がランスに当接していない状態のランスの端子収容空間への挿入量と、端子金具に係止し、かつ、ランス当接部がランスに当接した状態のランスの端子収容空間への挿入量と、が等しくなるようにランスが設けられていることから、ランスの端子金具への係り代、即ちランスが端子金具を端子収容空間内に保持する保持力が常に一定になるので、端子金具がコネクタハウジングから抜け出すことを確実に防止できるコネクタを提供することができる。また、端子金具を端子収容空間の正規の位置まで挿入した際に得られる挿入フィーリングを大きくすることができるので、端子金具が正規の位置まで挿入されない中途挿入状態になることを防止できる。また、ランス当接部が、端子金具に係止したランスに当接することから、ランスの端子金具への係止が解除されることを防止できるので、端子金具がコネクタハウジングから抜け出すことを確実に防止できる。また、端子金具が端子収容空間に中途挿入された状態において、ランスが端子収容空間外に位置付けられることにより、当該ランスが、ランス当接部を係止部に係止させることを規制して、端子金具が端子収容空間に中途挿入された状態であることを検知することから、端子金具が中途挿入状態になることを確実に防止できる。
【００１８】
請求項２に記載された発明によれば、ランスとランス当接部とがヒンジにより連結されていることから、このコネクタの部品点数、及び、このコネクタの製造金型点数を少なくすることができるので、コネクタの部品管理費、及び、コネクタの製造金型管理費を低くすることができる。また、コネクタの部品点数が少なくなることから組み立て時の作業数を少なくすることができ、さらに、ランスとランス当接部との組み付け方向を合わせる作業やこれらの位置決め作業を省くことができるなど、コネクタの組み立て作業性が向上するので、コネクタの組み立てに要するコストを低くすることができる。
【００１９】
請求項３に記載された発明によれば、コネクタハウジングに、ランスと間隔をあけた状態のランス当接部が係止する仮係止部が設けられていることから、ランス当接部をコネクタハウジングに仮係止させた状態で、持ち運び、及び、保管することができる。
【発明を実施するための最良の形態】
【００２０】
本発明の一実施の形態に係るコネクタを図１ないし図１１を参照して説明する。
【００２１】
図１ないし図１１に示すコネクタ１は、自動車などに配索されるワイヤハーネスを構成するものであり、端子金具４と、コネクタハウジング２と、リテーナ３と、を有している。
【００２２】
上記端子金具４は、図４に示すように、導電性の板金などを折り曲げて得られ、ワイヤハーネスを構成する電線５の端部などに取り付けられる。また、端子金具４は、中空角筒状に形成され、内側に相手方の端子金具を収容する電気接触部４１と、電線５の芯線と接続される芯線接続部４２と、この芯線接続部４２に連なった、電線５の被覆部をかしめるかしめ部４３と、電気接触部４１と芯線接続部４２とを連結した連結部４４と、を有している。
【００２３】
このような上記端子金具４は、芯線接続部４２が電線５の芯線と電気的に接続され、かしめ部４３が電線５の被覆部をかしめた状態で、電気接触部４１側からコネクタハウジング２の端子収容空間２１に挿入される。
【００２４】
上記コネクタハウジング２は、絶縁性の合成樹脂で構成されており、図１に示すように、複数の外壁１１，１２，１２，１３によって箱状に形成された本体部２０と、本体部の外表面に設けられたリテーナ取付部２４、一対の仮係止部２３、一対の係止部２２、を有している。
【００２５】
また、上記外壁１１は、コネクタハウジング２の幅方向Ｘ及び嵌合方向Ｚに沿って延びた外壁であり、図１中上側に位置する外壁である。この外壁１１を、以下、上壁１１と呼ぶ。また、上記一対の外壁１２は、コネクタハウジング２の高さ方向Ｙ及び嵌合方向Ｚに沿って延び、互いに相対して設けられた外壁である。この外壁１２を、以下、側壁１２と呼ぶ。また、前記「嵌合方向Ｚ」とは、コネクタハウジング２が相手方のコネクタハウジングと嵌合する際に、相手方のコネクタハウジングと接離する方向を言う。また、本明細書で言う「上側」とは、図１ないし図１１の紙面方向の上側を意味する。
【００２６】
上記本体部２０は、内側に上記端子金具４を収容する複数の端子収容空間２１を有している。この端子収容空間２１は、複数の外壁１１，１２，１２，１３と本体部２０内を仕切る隔壁１５とによって、嵌合方向Ｚに沿って延びた筒状に形成されている。即ち、端子収容空間２１の嵌合方向Ｚに沿った両端部２１ａ，２１ｂ（図８を参照。）はコネクタハウジング２の外部と連通している。また、本実施形態では、本体部２０は、２つの端子収容空間２１を有しており、これら２つの端子収容空間２１は、コネクタハウジング２の幅方向Ｘに沿って互いに並設されている。このような端子収容空間２１には、嵌合方向Ｚに沿った一端部２１ａから他端部２１ｂに向かって、上述した端子金具４が挿入される。
【００２７】
また、上記上壁１１の嵌合方向Ｚに沿った中央部には、上壁１１を貫通した開口部２８が設けられている。この開口部２８は、２つの端子収容空間２１それぞれの外側と内側とを連通している。この開口部２８には、後述するリテーナ３のランス６が通される。
【００２８】
上記リテーナ取付部２４は、図１に示すように、本体部２０の嵌合方向Ｚに沿った一端部で、高さ方向Ｙに沿った上部に設けられており、一対の立設壁２５ａと、一対の延設部２５ｂと、一対の突起２６と、リテーナ取付凹部２７と、で構成されている。
【００２９】
上記一対の立設壁２５ａは、一対の側壁１２それぞれの嵌合方向Ｚに沿った一端部でかつ高さ方向Ｙに沿った上部に連なり、高さ方向Ｙに沿って立設し、互いに相対して設けられている。上記一対の延設部２５ｂは、上記一対の立設壁２５ａそれぞれの開口部２８寄りの端部から互いに近付く方向に延設されており、互いに間をあけている。上記一対の突起２６は、上記一対の延設部２５ｂそれぞれに設けられ、開口部２８から離れる方向に突出している。上記リテーナ取付凹部２７は、上記一対の延設部２５ｂの間に設けられ、開口部２８側に開口しかつ嵌合方向Ｚに沿って延びた凹状の凹みである。このようなリテーナ取付部２４は、後述するリテーナ３の基部７を着脱自在に取り付ける。
【００３０】
上記一対の仮係止部２３は、上壁１１の嵌合方向Ｚに沿った他端部の、幅方向Ｘに沿った両端部からそれぞれ突出している。この仮係止部２３には、ランス当接部８のコネクタハウジング２への仮係止時に、後述の第１係止突起８３が係止する。
【００３１】
上記一対の係止部２２は、側壁１２の嵌合方向Ｚに沿った他端部に設けられている。この側壁１２の嵌合方向Ｚに沿った他端部は、側壁１２の嵌合方向Ｚに沿った中央部及び一端部よりも、幅方向Ｘに沿った外側に張り出している。一対の係止部２２は、この張り出した端面に設けられており、嵌合方向Ｚに沿った一端部側に突出している。この一対の係止部２２は、上記一対の仮係止部２３と、高さ方向Ｙに沿って互いに間隔をあけて設けられている。また、一対の係止部２２は、一対の仮係止部２３の下方に設けられている。この係止部２２には、ランス当接部８のコネクタハウジング２への本係止時に、後述の第１係止突起８３が係止する。
【００３２】
上記リテーナ３は、絶縁性の合成樹脂で構成されており、上述したリテーナ取付部２４に取り付けられる基部７と、この基部７に連なり嵌合方向Ｚに沿って延びた一対のランス６と、一対のヒンジ９を介して基部７に連結されたランス当接部８と、を有している。
【００３３】
上記基部７は、平面視がコ字形に形成されたコ字形部７０と、このコ字形部７０の幅方向Ｘに沿った中央部の内側から突出した第１突出部７１と、コ字形部７０の両端部から互いに離れる方向に突出した第２突出部７２と、を有しており、上壁１１の表面上に当接する底面が平らに形成されている。
【００３４】
この基部７は、図１に示すように、コネクタハウジング２の上方から高さ方向Ｙに沿ってコネクタハウジング２に近付けられ、リテーナ取付部２４に圧入される。即ち、第１突出部７１が上述したリテーナ取付凹部２７に嵌合し、一対の第２突出部７２が、上述した一対の立設壁２５ａの内側に位置付けられかつ上述した突起２６と上壁１１との間に位置付けられて、リテーナ取付部２４即ちコネクタハウジング２に取り付けられる。
【００３５】
また、基部７の幅方向Ｘに沿った中央部の外側に、一対のランス６が連結している。そして、基部７が上述したようにリテーナ取付部２４に取り付けられることにより、一対のランス６は上記開口部２８を通されて端子収容空間２１に挿入される。
【００３６】
上記一対のランス６は、角柱状に形成されており、互いに間隔をあけて平行に設けられている。これら一対のランス６の長手方向の一端部は、上記基部７の中央部の外側に連結している。また、一対のランス６は、長手方向の一端部から他端部に向かうにしたがって、基部７に対して下方に向かう方向に傾斜している。また、一対のランス６の幅方向Ｘに沿った寸法は、端子収容空間２１の幅方向Ｘに沿った寸法よりもわずかに小さく形成されている。このような一対のランス６は開口部２８を通してコネクタハウジング２の外部から端子収容空間２１に挿入される。
【００３７】
また、上記一対のランス６は、基部７から離れた他端部が、端子収容空間２１に収容された端子金具４の連結部４４に当接し、この連結部４４を外壁１３に向かって押さえる。また、前記外壁１３は、上壁１１と相対して設けられた外壁であり、図８中下側に位置する外壁である。
【００３８】
また、上記端子金具４は、端子収容空間２１に収容された状態において、電気接触部４１の上端が連結部４４の上端よりも上壁１１寄りに位置付けられている。このことから、図９に示すように、端子金具４が端子収容空間２１の正規の位置に位置付けられて、上記ランス６が連結部４４に当接すると、電気接触部４１がランス６に遮られて、端子収容空間２１内を嵌合方向Ｚに沿って移動することが規制される。こうして端子金具４が高さ方向Ｙ及び嵌合方向Ｚに沿って移動することが規制され、端子収容空間２１から抜け出ることが防止される。
【００３９】
また、本発明では、ランス６の他端部が端子金具４の表面の凹凸に沿って当接することをランス６が端子金具４に係止すると表現する。また、「端子金具４が端子収容空間２１の正規の位置に位置付けられている」とは、図９に示す状態であり、端子金具４の電気接触部４１が、端子収容空間２１の嵌合方向Ｚに沿った他端部２１ｂまで完全に挿入されていることを言う。また、図１１に示すように、電気接触部４１が、他端部２１ｂの手前までしか挿入されていない状態を、「端子金具４が端子収容空間２１に中途挿入された状態」と表現する。
【００４０】
上記一対のヒンジ９は、図２に示すように、一端がコ字形部７０の両端部にそれぞれ連結し、他端が後述するランス当接部８の当接壁部８１に連結している。即ち、基部７と一対のランス６と一対のヒンジ９とランス当接部８とは一体成形されている。また、このヒンジ９は、コ字形部７０や当接壁部８１よりも厚みが薄く形成されており、曲げ変形自在に形成されている。
【００４１】
上記ランス当接部８は、上述した一対のヒンジ９に連結した平板状の当接壁部８１と、この当接壁部８１の幅方向Ｘに沿った両端部から立設し、互いに相対して平行に設けられた平板状の一対の立設壁部８２と、この一対の立設壁部８２それぞれの外縁部に設けられた第１係止突起８３及び第２係止突起８４と、を有している。
【００４２】
上記ランス当接部８は、上記第２係止突起８４を中心として回転することにより、図３に示すように、当接壁部８１が開口部２８を開放した状態と、図４，図５，図８に示すように、当接壁部８１が開口部２８を半閉しかつランス６と間隔をあけて、コネクタハウジング２に仮係止した状態と、図６，図７，図１０に示すように、当接壁部８１が開口部２８を塞いでランス６に当接し、コネクタハウジング２に本係止した状態と、に亘って変位する。
【００４３】
また、図４，図５，図８に示すランス当接部８の仮係止状態において、上記第２係止突起８４は、上述した立設壁２５ａの開口部２８寄りの下端の角部２５ｃに係止し、上記第１係止突起８３は、上述した仮係止部２３に係止する。また、図６，図７，図１０に示すランス当接部８の本係止状態において、上記第２係止突起８４は、上述した立設壁２５ａの開口部２８寄りの下端の角部２５ｃに係止したままで、上記第１係止突起８３は、上述した係止部２２に係止する。
【００４４】
次に、上述した構成のコネクタ１の組み立て方を説明する。
【００４５】
まず、図１及び図２に示すように、端子金具４が挿入されていない状態のコネクタハウジング２に、リテーナ３を取り付ける。リテーナ３を取り付ける際は、リテーナ３をコネクタハウジング２の上方から高さ方向Ｙに沿ってコネクタハウジング２に近付け、基部７をリテーナ取付部２４に圧入する。また、図３は、リテーナ３がコネクタハウジング２に取り付けられた状態を示している。
【００４６】
そして、図３の状態のリテーナ３のランス当接部８を上壁１１に近付く方向に回転させ、第２係止突起８４を、上述した角部２５ｃに先に係止させた後、この第２係止突起８４を中心にランス当接部８を回転させて第１係止突起８３を仮係止部２３に係止させる。このようにして、図４，図５，図８に示すように、リテーナ３をコネクタハウジング２に仮係止させる。また、この状態で、ランス６と当接壁部８１とは互いに間隔をあけている。また、ランス６は、開口部２８を通されて端子収容空間２１に位置付けられている。
【００４７】
そして、図４，図５，図８の状態のコネクタハウジング２の端子収容空間２１に、端子金具４を嵌合方向Ｚに沿って挿入する。また、端子金具４の電気接触部４１がランス６の直下を通過する際には、電気接触部４１がランス６を上方に弾性変形させながら通過する（図１１を参照。）。この際、上述したようにランス６と当接壁部８１とが互いに間隔をあけているので、ランス６は上方、即ち当接壁部８１に近付く方向、に弾性変形することができる。
【００４８】
そして、図９に示すように、端子金具４が端子収容空間２１の正規の位置まで即ち他端部２１ｂまで挿入されると、上方に弾性変形していたランス６が元の位置に復元し、ランス６の他端部が端子金具４の連結部４４に当接する。即ち、ランス６が端子金具４に係止する。このことにより、端子金具４が端子収容空間２１から抜け出ることが防止される。
【００４９】
また、本発明では、図８に示す端子金具４に係止する前のランス６の端子収容空間２１への挿入量と、図９に示す端子金具４に係止した状態のランス６の端子収容空間２１への挿入量と、図１０に示す当接壁部８１がランス６に当接した状態のランス６の端子収容空間２１への挿入量と、が等しくなるようにランス６が設けられている。このことから、ランス６の端子金具４への係り代、即ちランス６が端子金具４を端子収容空間２１内に保持する保持力が常に一定になるので、端子金具４がコネクタハウジング２から抜け出すことを確実に防止できる。また、本発明では、上述したようにランス６の挿入量が常に一定であることから、端子金具４を端子収容空間２１の正規の位置まで挿入した際に得られる挿入フィーリング（ランス６の反力）を大きくすることができるので、端子金具４が正規の位置まで挿入されない中途挿入状態になることを防止できる。
【００５０】
そして、ランス当接部８を、第２係止突起８４を中心にして上壁１１にさらに近付く方向に回転させて、第１係止突起８３を係止部２２に係止させ、図６，図７，図１０に示すように、当該ランス当接部８をコネクタハウジング２に本係止させる。この状態で、当接壁部８１は、ランス６に当接、即ち面接触、しており、ランス６が上方に弾性変形することを規制している。即ち、ランス当接部８は、ランス６を端子金具４に係止した状態に維持しており、ランス６の端子金具４への係止が解除されることを規制している。以上のようにして、コネクタ１が組み立てられる。
【００５１】
また、端子金具４が端子収容空間２１の正規の位置に位置付けられていない場合、即ち端子金具４が中途挿入されている場合、は、図１１に示すように、ランス６の他端部が電気接触部４１の上に乗り上げて上方に弾性変形し、端子収容空間２１の外部に飛び出しているので、このランス６に当接壁部８１がぶつかることにより、第１係止突起８３が係止部２２に係止することが不可能となる。そして、このようにランス当接部８が本係止位置に収まらないことにより、端子金具４の中途挿入が検知される。このことから、端子金具４が中途挿入状態になることを確実に防止できる。
【００５２】
本実施形態によれば、上述した構成により、端子金具４がコネクタハウジング２の端子収容空間２１から抜け出すことを確実に防止できる。そして、第１係止突起８３が係止部２２に係止できないことで、端子金具４が中途挿入状態であることを検知する構成により、端子金具４が中途挿入状態になることを確実に防止できる。
【００５３】
また、ランス６とランス当接部８とがヒンジ９及び基部７により連結されて一体成形されていることから、コネクタ１の部品点数、及び、コネクタ１の製造金型点数を少なくすることができるので、コネクタ１の部品管理費、及び、コネクタ１の製造金型管理費を低くすることができる。また、コネクタ１の組み立て作業性が向上するので、コネクタ１の組み立てに要するコストを低くすることができる。
【００５４】
また、コネクタハウジング２に、ランス６と間隔をあけた状態のランス当接部８が係止する仮係止部２３が設けられていることから、ランス当接部８をコネクタハウジング２に仮係止させた状態で、持ち運び、及び、保管することができる。
【００５５】
また、上述した実施形態では、ランス６とランス当接部８とがヒンジ９及び基部７により連結されて一体成形されていたが、本発明では、ランス６とランス当接部８とが別体の構成であっても良い。
【００５６】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５７】
【図１】本発明の一実施の形態に係るコネクタを示す斜視図であり、コネクタハウジングとリテーナとが分離した状態を示す図である。
【図２】図１に示されたコネクタを他の方向から見た斜視図である。
【図３】図１に示されたコネクタのリテーナがコネクタハウジングに取り付けられた状態を示す斜視図である。
【図４】図３に示されたコネクタのリテーナのランス当接部がコネクタハウジングに仮係止した状態を示す斜視図である。
【図５】図４に示されたコネクタを他の方向から見た斜視図である。
【図６】図４に示されたコネクタのコネクタハウジングに端子金具が挿入され、かつ、リテーナのランス当接部がコネクタハウジングに本係止した状態を示す斜視図である。
【図７】図６に示されたコネクタを他の方向から見た斜視図である。
【図８】図４中のＡ-Ａ線に沿う断面図である。
【図９】図８に示されたコネクタのコネクタハウジングに端子金具が挿入され、かつ、リテーナのランス当接部がコネクタハウジングに仮係止した状態を示す断面図である。
【図１０】図６中のＢ-Ｂ線に沿う断面図である。
【図１１】図１に示されたコネクタのコネクタハウジングに端子金具が中途挿入された状態を示す断面図である。
【図１２】従来のリテーナとコネクタハウジングとを有したコネクタを示す断面図であり、リテーナがコネクタハウジングに仮係止し、端子金具がコネクタハウジングに仮保持された状態を示す図である。
【図１３】図１２に示されたコネクタのリテーナがコネクタハウジングに本係止し、端子金具がコネクタハウジングに本保持された状態を示す断面図である。
【図１４】図１２に示されたコネクタのコネクタハウジングに端子金具が中途挿入された状態を示す断面図である。
【符号の説明】
【００５８】
１  コネクタ
２  コネクタハウジング
３  リテーナ
４  端子金具
６  ランス
８  ランス当接部
９  ヒンジ
１１  上壁（外壁）
２１  端子収容空間
２２  係止部
２３  仮係止部
２８  開口部
【図１】
0004958684.tif 000002
【図２】
0004958684.tif 000003
【図３】
0004958684.tif 000004
【図４】
0004958684.tif 000005
【図５】
0004958684.tif 000006
【図６】
0004958684.tif 000007
【図７】
0004958684.tif 000008
【図８】
0004958684.tif 000009
【図９】
0004958684.tif 000010
【図１０】
0004958684.tif 000011
【図１１】
0004958684.tif 000012
【図１２】
0004958684.tif 000013
【図１３】
0004958684.tif 000014
【図１４】
0004958684.tif 000015